(57)【要約】【課題】端末を使用する地域における複数のアクセスポイントからネットワークへの接続する際に、接続効率を決定する因子を計測して接続効率の高い一のアクセスポイントを選択することができるアクセスポイントの選択装置を提供すること。【解決手段】アクセスポイントの選択装置Ａは、制御部１０、無線送受信部１１、情報記憶部１２、アクセスポイント一覧編成部１３、リンク速度計測部１４、実効リンク速度計測部１５、電界強度計測部１６、ノイズレベル計測部１７、アクセスポイント選択部１８、ディスプレイ表示部１９とを備えて構成されている。【選択図】            図１
2004159258.tif 000002
【特許請求の範囲】
【請求項１】
ネットワークに接続された複数のアクセスポイントに無線接続し得る端末が一のアクセスポイントを選択するために用いるアクセスポイント選択装置であって、
前記複数のアクセスポイントからネットワークに接続可能なアクセスポイント情報を、そのアクセスポイント接続情報とともに取得するアクセスポイント取得手段と、
前記アクセスポイント取得手段でアクセスポイント情報が取得されたアクセスポイントを経由して端末からネットワークに接続する際の接続効率を計測する接続効率計測手段と、
前記接続効率計測手段による接続効率の計測結果を出力する出力手段と、を備えたことを特徴とするアクセスポイント選択装置。
【請求項２】
出力手段は、アクセスポイント接続情報とともにアクセスポイントごとに一覧表示するアクセスポイント一覧表示手段を有してなることを特徴とする請求項１に記載のアクセスポイント選択装置。
【請求項３】
接続効率計測手段は、アクセスポイントからネットワークへの接続速度を計測するリンク速度計測部と、
端末からアクセスポイントを経由してネットワークに接続した場合の端末からネットワークへの接続速度を計測する実効リンク速度計測部と、
端末からアクセスポイントへ無線接続した場合の電界強度を計測する電界強度計測部と、
端末からアクセスポイントへ無線接続した場合の電波のノイズレベルを計測するノイズレベル計測部と、を有してなることを特徴とする請求項１又は請求項２に記載のアクセスポイント選択装置。
【請求項４】
接続効率計測手段による計測結果に基づいてアクセスポイント一覧表示手段で一覧表示されたアクセスポイントのうちから接続効率の高い一のアクセスポイントを選択して一覧表示中に表示するアクセスポイント選択表示手段を備えたことを特徴とする請求項２又は請求項３に記載のアクセスポイント選択装置。
【発明の詳細な説明】
【０００１】
【発明の属する技術分野】
本発明は、ネットワークに接続された複数のアクセスポイントから一のアクセスポイントを選択するために用いるアクセスポイントの選択装置に関する。
【０００２】
【従来の技術】
近年、無線ＬＡＮを利用したインターネット接続サービスが提供されている。
この無線ＬＡＮによるインターネット接続サービスは、例えば、駅、ホテルや飲食店等に設けられたアクセスポイントを経由してパーソナルコンピュータ等の端末からインターネットに接続する。
【０００３】
上記アクセスポイントからインターネットに接続するサービスを提供するのがＩｎｔｅｒｎｅｔ  Ｓｅｒｖｉｃｅ  Ｐｒｏｖｉｄｅｒ（以下、単にＩＳＰという）であり、通常、各アクセスポイントは各ＩＳＰが提供している。
ここで、近年の無線ＬＡＮの普及に伴い、上記ＩＳＰの数が増え、また、これらＩＳＰが提供するサービスの内容も多種、多様となってきている。このサービスの内容としては、例えば、プロバイダの回線速度（以下、単にリンク速度という）、接続料金の形態（従量制か固定制か）等、種々のものがある。
【０００４】
また、これとは別に、上記無線ＬＡＮの利用する際には、アクセスポイントからの距離やアクセスポイントと端末との間の障害の有無によって端末が受信する電波の電界強度に強弱があり、さらに、アクセスポイントに無線接続するため、端末を使用する場所によって、電波にノイズが乗りやすい個所と、そうでない個所が存在する。
さらに、アクセスポイントを介してインターネットに接続する場合に、端末からインターネットへの実際のリンク速度（以下、実効リンク速度）は、各ＩＳＰの公表するリンク速度とは異なるのが通常である。
【０００５】
すなわち、無線ＬＡＮを利用して端末からインターネットに接続するには、各ＩＳＰのインターネット接続サービスの内容、電界強度、ノイズレベル、実効リンク速度等の種々の端末からインターネットへの接続効率を左右する因子が存在する。
なお、接続効率とは、端末からインターネットへ接続した際に、データ信号を如何に効率良く伝送できるかを決定するものであり、例えば、単にリンク速度が速ければ接続効率が高いと言えるが、その分だけ利用料金が高くなると、リンク速度と利用料金との関係で接続効率が決定される。
【０００６】
ところで、上記接続効率とは別に、無線ＬＡＮサービスを利用してインターネットへ接続するには、混信等の問題が起きないよう、各端末に、通信モードや通信に利用する通信チャンネル、伝送路の暗号化の有無、接続先を識別するためのＳＳＩＤ（Ｓｅｒｖｉｃｅ  Ｓｅｔ  ＩＤ）等、各ＩＳＰから提供されるアクセスポイント接続情報を設定する。
【０００７】
このため、複数のＩＳＰがアクセスポイントを運営して無線ＬＡＮサービスを提供している地域においては、予めＳＳＩＤ等のサービスを利用する際に必要なアクセスポイント接続情報を端末側で設定して記憶装置に記憶させておき、この設定情報を切り換えることにより自分の利用したいＩＳＰを選択してインターネット接続サービスを利用していた。
また、端末のユーザが上記サービスの利用時に必要なアクセスポイント接続情報を設定していない場合には、各使用地域で、これらのアクセスポイント接続情報を設定していた。
【０００８】
【発明が解決しようとする課題】
しかしながら、上記のように予め端末に設定しておいたアクセスポイント接続情報を選択し、その都度切り換えてＩＳＰを選択すると、端末の使用地域におけるＩＳＰを選択するための選択基準が存在せず、予め設定しておいたアクセスポイント接続情報に基づいてＩＳＰを選択する以外に途がなかった。
【０００９】
すなわち、無線ＬＡＮを利用してインターネットへ接続するには、上述したように、種々の接続効率を決定する因子が存在するが、これらの因子に基づいたインターネットへの接続効率の計測結果は表示されないため、ＩＳＰを選択する際の選択基準が存在せず、予め設定しておいたアクセスポイント接続情報に基づいてＩＳＰを選択した結果、ユーザが好まないＩＳＰ、例えば、その使用地域における通信状況の悪いＩＳＰ、通信速度の遅いＩＳＰ、利用料金が高いＩＳＰ、すなわち、接続効率の悪いＩＳＰを選択してしまうおそれがあった。
そして、これは、上記各ＩＳＰが提供するアクセスポイントを選択する際に、ユーザが望むアクセスポイントを選択することができないということを意味する。
【００１０】
本発明は、上記問題点を解決するためになされたものであり、端末を使用する地域における複数のアクセスポイントからネットワークへの接続する際に、接続効率を決定する因子を計測して接続効率の高い一のアクセスポイントを選択することができるアクセスポイント選択装置を提供することを目的とする。
【００１１】
【課題を解決するための手段】
上記目的を達成するために、請求項１の発明は、
ネットワークに接続された複数のアクセスポイントに無線接続し得る端末が一のアクセスポイントを選択するために用いるアクセスポイント選択装置であって、
前記複数のアクセスポイントからネットワークに接続可能なアクセスポイント情報を、そのアクセスポイント接続情報とともに取得するアクセスポイント取得手段と、
前記アクセスポイント取得手段でアクセスポイント情報が取得されたアクセスポイントを経由して端末からネットワークに接続する際の接続効率を計測する接続効率計測手段と、
前記接続効率計測手段による接続効率の計測結果を出力する出力手段と、を備えたことを特徴とする。
【００１２】
請求項２の発明は、請求項１に記載のアクセスポイント選択装置において、
出力手段は、アクセスポイント接続情報とともにアクセスポイントごとに一覧表示するアクセスポイント一覧表示手段、を有してなることを特徴とする。
請求項３の発明は、請求項１又は請求項２に記載アクセスポイント選択装置において、
接続効率計測手段は、アクセスポイントからネットワークへの接続速度を計測するリンク速度計測部と、
端末からアクセスポイントを経由してネットワークに接続した場合の端末からネットワークへの接続速度を計測する実効リンク速度計測部と、
端末からアクセスポイントへ無線接続した場合の電界強度を計測する電界強度計測部と、
端末からアクセスポイントへ無線接続した場合の電波のノイズレベルを計測するノイズレベル計測部と、を有してなることを特徴とする。
【００１３】
請求項４の発明は、請求項２又は請求項３に記載のアクセスポイント選択装置において、
接続効率計測手段による計測結果に基づいてアクセスポイント一覧表示手段で一覧表示されたアクセスポイントのうちから接続効率の高い一のアクセスポイントを選択して一覧表示中に表示するアクセスポイント選択表示手段を備えたことを特徴とする。
【００１４】
【作用】
請求項１の発明によれば、
アクセスポイント取得手段でアクセスポイント情報が取得されたアクセスポイントを経由して端末からネットワークに接続する際の接続効率が計測され、この計測結果が出力される。
請求項２の発明によれば、
アクセスポイント取得手段でアクセスポイント情報が取得されたアクセスポイントを経由して端末からネットワークに接続する際の接続効率が計測され、アクセスポイント接続情報とともにアクセスポイントごとに一覧表示される。
【００１５】
請求項３の発明によれば、
アクセスポイントからネットワークへの接続速度、端末からアクセスポイントを経由してネットワークに接続した場合の端末からネットワークへの接続速度、端末からアクセスポイントへ無線接続した場合の電界強度、端末からアクセスポイントへ無線接続した場合の電波のノイズレベルが計測され、これらの計測結果がアクセスポイント接続情報とともにアクセスポイントごとに一覧表示される。
【００１６】
請求項４の発明によれば、
接続効率の計測結果に基づいて、アクセスポイント一覧表示手段で一覧表示されたアクセスポイントのうちから接続効率の高い一のアクセスポイントが選択され、一覧表示中に表示される。
【００１７】
【発明の実施の形態】
以下、本発明のアクセスポイント選択装置Ａについて図面を用いて説明する。
図１は、アクセスポイント選択装置Ａの構成を示す構成図である。
同図に示すように、このアクセスポイント選択装置Ａは、アクセスポイントＡＰに無線接続し、このアクセスポイントＡＰを介してインターネットＮに接続されたウェブサーバＷに接続する。
また、上記アクセスポイントＡＰからインターネットＮへの接続は、アクセスポイントＡＰに設定されたＩＳＰのサーバＳにより行われる構成となっている。
【００１８】
なお、上記アクセスポイントＡＰからは、当該アクセスポイントＡＰからのアクセスポイント情報が送信されており、このアクセスポイント情報には、アクセスポイント名、通信モードや通信に利用する通信チャンネル、接続先で端末を識別するためのＳＳＩＤ（Ｓｅｒｖｉｃｅ  Ｓｅｔ  ＩＤ）、伝送路の暗号化のレベルに関する情報からなるアクセスポイント接続情報、及びＩＳＰのインターネットＮへのリンク速度、接続料金の形態に関する情報からなるＩＳＰ情報が含まれている。
【００１９】
アクセスポイント選択装置Ａは、制御部１０、無線送受信部１１、情報記憶部１２、アクセスポイント一覧編成部１３、リンク速度計測部１４、実効リンク速度計測部１５、電界強度計測部１６、ノイズレベル計測部１７、アクセスポイント選択部１８、ディスプレイ表示部１９とを備えて構成されている。
【００２０】
なお、上記制御部１０、無線送受信部１１、情報記憶部１２がアクセスポイント取得手段を、リンク速度計測部１４、実効リンク速度計測部１５、電界強度計測部１６、ノイズレベル計測部１７が接続効率計測手段を、アクセスポイント一覧編成部１３及びディスプレイ表示部１９がアクセスポイント一覧表示手段を構成している。また、アクセスポイント一覧表示手段は、接続効率の計測結果を出力する出力手段の一種である。
また、アクセスポイント選択部１８、ディスプレイ表示部１９がアクセスポイント選択表示手段を構成している。
【００２１】
制御部１０は、ＣＰＵ本体、ＲＯＭ、ＲＡＭからなり、バスを介して接続された各周辺構成部を統括し、制御している。
無線送受信部１１は、アクセスポイントＡＰとの間で無線電波によるデータ信号（以下、単に無線データ信号という）の送受信を行うもので、この無線送受信部１１を介して入力された無線データ信号は、制御部１０で所定の演算処理等がなされる。
【００２２】
情報記憶部１２は、上記無線送受信部１１を介して入力されたアクセスポイントＡＰから送信された無線データ信号をストアするもので、特に、上記アクセスポイントＡＰからの無線データ信号に含まれるアクセスポイントに関するアクセスポイント情報をストアする。
【００２３】
アクセスポイント一覧編成部１３は、複数のアクセスポイントＡＰからのアクセスポイント情報を受信した場合に、受信したアクセスポイントからのアクセスポイント接続情報をアクセスポイントの一覧としてディスプレイ表示部１９に表示し得る形式の信号に変換する。
【００２４】
リンク速度計測部１４は、アクセスポイントＡＰからのアクセスポイント情報に含まれるＩＳＰ情報のインターネットＮへのリンク速度を計測するもので、情報記憶部１２から転送されたＩＳＰ情報に基づいて各ＩＳＰのリンク速度を読み出し、ディスプレイ表示部１９で表示し得る信号に変換する。
【００２５】
実効リンク速度計測部１５は、例えば、ネットワークアナライザと呼ばれるリンク速度計測用のプログラムを実行し、各ＩＳＰのインターネットＮへの実際のリンク速度を計測する。
ここで、上記実効リンク速度計測部で計測されるリンク速度は、実際にアクセスポイントＡＰを介してインターネットＮへの接続にかかる時間を計測したもので、この点で上記アクセスポイントＡＰのＩＳＰ情報に含まれるリンク速度とは異なる。
【００２６】
電界強度計測部１６は、アクセスポイントＡＰとアクセスポイント選択装置Ａとの間の電界強度を計測するもので、無線送受信部１１で受信されたアクセスポイントＡＰからの電波の強度を計測し、ディスプレイ表示部１９に表示し得る信号に変換する。
【００２７】
ノイズレベル計測部１７は、アクセスポイントの計測装置Ａの使用地域におけるノイズレベルを計測するもので、ノイズが電波の送受信に与える影響をノイズレベルとして計測し、ディスプレイ表示部１９に表示し得る信号に変換する。
なお、上記電界強度計測部１６で計測したアクセスポイントＡＰからの電波の強度、及びノイズレベル計測部１７で計測したアクセスポイント選択装置Ａの使用地域におけるノイズレベルを併せて電界強度情報という。
【００２８】
アクセスポイント選択部１８は、上記アクセスポイント一覧編成部１３で編成したアクセスポイントのアクセスポイント接続情報、及びリンク速度計測部１４、実効リンク速度計測部１５、電界強度計測部１６、ノイズレベル計測部１７で計測した計測結果に基づいて接続効率の高い一のアクセスポイントＡＰを選択するもので、本実施形態においては、このアクセスポイント選択装置Ａのユーザがディスプレイ表示部１９に表示された各接続情報及び計測結果に基づいて接続効率の高いアクセスポイントを決定し、選択する構成となっている。
【００２９】
つぎに、上記のように構成されたアクセスポイント選択装置Ａの動作について、図２に示すフローチャートを用いて説明する。
同図に示すように、まず、ステップ１で、アクセスポイント選択装置Ａからその使用地域におけるインターネットＮへの接続可能要求を送信し、接続可能要求を受信したアクセスポイントＡＰは、アクセスポイント情報をアクセスポイント選択装置Ａに送信する。
【００３０】
つぎに、ステップ２で、アクセスポイント選択装置ＡはアクセスポイントＡＰから送信されたアクセスポイント情報を受信し、ステップ３でこのアクセスポイントを経由してアクセスポイント選択装置ＡからインターネットＮに接続する際の接続効率を計測する。
具体的には、アクセスポイント選択装置Ａのアクセスポイント一覧編成部１３で、インターネットＮに接続できるアクセスポイントＡＰの一覧情報を作成し、リンク速度計測部１４で、各ＩＳＰの提供するリンク速度を読み出す。
【００３１】
また、実効リンク速度計測部１５で、アクセスポイント選択装置ＡとインターネットＮとの実効リンク速度を計測し、電界強度計測部１６及びノイズレベル計測部１７で、無線送受信部１１で受信したアクセスポイントＡＰから送信される電波の電界強度及びこのアクセスポイント選択装置Ａの使用地域におけるノイズレベルを計測する。
【００３２】
そして、ステップ４で、上記各部で計測されたアクセスポイントの接続効率の計測結果をアクセスポイント情報とともに、ディスプレイ表示部１９に表示する。
なお、上記アクセスポイント選択装置Ａは、他のアクセスポイントＡＰからもアクセスポイント情報を受信して接続効率を計測し、計測結果を一覧表示する構成となっている。
【００３３】
図３は、上記ディスプレイ表示部１９に表示される画面の一例を示しており、特にアクセスポイント情報のアクセスポイント接続情報及び実効リンク速度を表示する表示画面である。
このアクセスポイント接続情報の表示画面Ｐ１は、インターネットに接続可能な複数のアクセスポイントを一覧表示する一覧表示部Ｐ１１と、この一覧表示部Ｐ１１に表示されたアクセスポイントのうち、選択されたアクセスポイントのアクセスポイント接続情報を表示する表示部Ｐ１２とを備えて構成されている。
【００３４】
上記一覧表示部Ｐ１１には、アクセスポイント一覧編成部１３で作成されたアクセスポイント接続情報の一覧がアクセスポイントの名称とともに表示されている。このアクセスポイント一覧表示部Ｐ１１で表示される表示項目は、アクセスポイント、ＳＳＩＤ、通信モード、通信チャンネル、暗号化の有無、実効リンク速度からなり、これらの表示項目Ｐ１１１をマウス等でクリックすることにより、各項目ごとにアクセスポイント接続情報の並び替えが行われる構成となっている。
例えば、これら表示項目のうち、実効リンク速度の項目をクリックすると、一覧表示されたアクセスポイントうち、実効リンク速度の速いアクセスポイントの順に並び替えがなされる。
【００３５】
ここで、上記アクセスポイント一覧表示部Ｐ１１で一覧表示されたアクセスポイントのうち、図中、枠内で囲われたアクセスポイントが選択されたアクセスポイントを示しており、この選択は、アクセスポイント選択装置Ａのユーザがマウス、キーボードや選択ボタン等の外部入力手段を操作して行われる構成となっている。
【００３６】
なお、上記一覧表示部Ｐ１１に、上記各計測結果に基づいて接続効率の高い一のアクセスポイントを自動で選択して表示する構成とすることも可能である。
この場合においては、接続効率の計測の因子に重み付けをして、予め設定された評価式に基づいて評価点を算出し、この評価点順にアクセスポイントを並べ替えて表示することにより実現することができる。
【００３７】
また、表示部Ｐ１２には、上記一覧表示部Ｐ１１で選択されたアクセスポイントのアクセスポイント接続情報、すなわち、アクセスポイント名、ＳＳＩＤ、通信モード（アドホックモード、或いはインフラストラクチャモード）、通信チャンネル、暗号化の有無（なし、６４ｂｉｔ、１２８ｂｉｔ用）、及び実効リンク速度が表示される。
【００３８】
図４は、ディスプレイ表示部１９に表示される画面の一例を示しており、特にＩＳＰ情報を表示する表示画面の一例を示している。
このＩＳＰ情報の表示画面Ｐ２には、表示画面Ｐ１の一覧表示部Ｐ１１で選択されたアクセスポイントを提供するＩＳＰの名称、インターネットＮへのリンク速度、接続料金の形態（従量制か固定制か）等が表示される。
【００３９】
図５は、ディスプレイ表示部１９に表示される画面の一例を示しており、特に電界強度情報を表示している表示画面である。
この電界強度情報の表示画面Ｐ３には、現時点での電界強度及びノイズレベルが棒グラフ形式で、また、過去の電界強度及びノイズレベルの状況が折れ線グラフの形式で表示される。
【００４０】
以上のように、ステップ４で、各アクセスポイントのアクセスポイント情報及び接続効率の計測結果がディスプレイ表示部１９に表示されると、ステップ５で、この画面表示された計測結果に基づいて、このアクセスポイント選択装置Ａのユーザが実際にインターネットＮに接続する際に使用する接続効率の高い一のアクセスポイントを選択し、このアクセスポイントＡＰに実際の接続要求を送信する。
【００４１】
つぎに、上記ステップＳ５で送信された接続要求を受信したアクセスポイントＡＰは、この接続要求をＩＳＰに送信し、このＩＳＰ経由でインターネットＮに接続する。
【００４２】
そして、ステップ６で、アクセスポイント選択装置Ａが接続終了の信号をアクセスポイントＡＰに送信すると、アクセスポイントＡＰは、この終了信号をＩＳＰに送信し、ＩＳＰはインターネットＮへの接続を終了する。
【００４３】
以上、本発明のアクセスポイント選択装置Ａについて詳細に説明してきたが、このアクセスポイント選択装置Ａによれば以下の効果を得ることができる。
すなわち、各アクセスポイントのアクセスポイント情報及び接続効率の計測結果がディスプレイ表示部１９に表示されるため、ユーザは視覚を通してアクセスポイントを選択することができ、ユーザにとって好適なＩＳＰを選択することができるという効果がある。
【００４４】
また、上記各部で計測したリンク速度、実効リンク速度、電界強度、ノイズレベルの計測結果がアクセスポイント接続情報とともにアクセスポイントごとに一覧表示されるため、より詳しいＩＳＰの選択基準に基づいてアクセスポイントを選択することができるという効果がある。
【００４５】
さらに、接続効率の計測結果に基づいて、アクセスポイント一覧表示手段で一覧表示されたアクセスポイントのうちから接続効率の高い一のアクセスポイントが選択され、一覧表示中に表示される構成とすれば、よりアクセスポイントを選択しやすくなるという効果がある。
【００４６】
以上、本発明の一実施形態について説明してきたが、本発明のアクセスポイント選択装置は、請求項に記載の範囲内で種々に変更可能であって、例えば上記実施形態においては、アクセスポイントへの接続は、アクセスポイントの接続効率に基づいてユーザが行っていたが、アクセスポイント選択装置が自動で選択して接続する構成とすることも可能である。
【００４７】
さらにまた、上記実施形態においては、計測の因子をＩＳＰの接続速度、実効リンク速度、電界強度、ノイズレベルとしていたが、この他に、ＩＳＰの料金形態、暗号化の有無、暗号化のレベル、通信モード、新たなアクセスポイント接続情報の設定の必要性の有無等を計測の因子として計測し、接続効率の高いアクセスポイントを選択する構成とすることも可能である。
さらに、アクセスポイントの混雑の具合、或いはアクセスポイント毎のＩＳＰの利用料金等に基づいてアクセスポイントを選択する構成とすることも可能である。
【００４８】
また、上記実施形態においては、出力手段としてアクセスポイント一覧表示手段が用いられ、接続効率の計測結果を一覧表示して出力していたが、この出力手段として種々のものを用いることができる。
例えば、出力手段として音声出力手段を用い、接続効率の計測結果を音声により出力することも可能である。
また、出力手段としてアクセスポイント一覧表示手段及び音声出力手段を用い、接続効率の計測結果をアクセスポイント一覧表示手段で表示させるとともに、同時に音声出力手段により音声で出力することも可能である。
【００４９】
さらに、出力手段としては、アクセスポイント一覧表示手段や音声出力手段等、アクセスポイント選択装置Ａのユーザが接続効率を認識できるように出力するものに限られず、例えば、アクセスポイント選択装置Ａ内部への出力手段（以下、単に内部出力手段という）を用いて、接続効率の計測結果をアクセスポイント選択装置Ａ内部の制御部１０に出力することも可能である。
【００５０】
この場合、内部出力手段は、接続効率の計測結果を制御部１０に出力し、制御部１０で予め設定された評価式に基づいて評価点を算出し、この評価点の最も高い一のアクセスポイントＡＰに自動で接続する構成とすることができる。
【００５１】
この結果、接続効率の計測結果はアクセスポイント選択装置Ａのユーザが認識できる形で出力されるのではなく、アクセスポイント選択装置Ａ内部の制御部１０へ出力され、自動で最も接続効率の高いアクセスポイントを選択して接続することができるため、ユーザがアクセスポイントを選択するという作業を意識することなく、自動で最適なアクセスポイントを選択して接続することができるという効果がある。
【００５２】
【発明の効果】
請求項１の発明によれば、
アクセスポイント取得手段で取得されたアクセスポイントを経由して端末からネットワークに接続する際の接続効率が計測され、この計測結果が出力手段で出力される構成としているため、この出力結果に基づいてアクセスポイントを選択することができ、ユーザにとって好適なＩＳＰを選択することができるという効果がある。
【００５３】
請求項２の発明によれば、
アクセスポイント取得手段で取得されたアクセスポイントを経由して端末からネットワークに接続する際の接続効率が計測され、この計測結果がアクセスポイント接続情報とともにアクセスポイントごとに一覧表示される構成としているため、ユーザはこの一覧表表示に基づいて視覚を通してアクセスポイントを選択することができ、ユーザにとって好適なＩＳＰを選択することができるという効果がある。
【００５４】
請求項３の発明によれば、
アクセスポイントからネットワークへの接続速度、端末からアクセスポイントを経由してネットワークに接続した場合の端末からネットワークへの接続速度、端末からアクセスポイントへ無線接続した場合の電界強度、端末からアクセスポイントへ無線接続した場合の電波のノイズレベルが計測され、これらの計測結果がアクセスポイント接続情報とともにアクセスポイントごとに一覧表示される構成としているため、より詳しいアクセスポイントの選択基準に基づいてアクセスポイントを選択することができるという効果がある。
【００５５】
請求項４の発明によれば、
接続効率の計測結果に基づいて、アクセスポイント一覧表示手段で一覧表示されたアクセスポイントのうちから接続効率の高い一のアクセスポイントが選択され、一覧表示中に表示されるため、よりアクセスポイントを選択しやすくなるという効果がある。
【００５６】
【図面の簡単な説明】
【図１】本発明のアクセスポイント選択装置の構成を示す図である。
【図２】本発明のアクセスポイント選択装置の動作を示すフローチャートである。
【図３】本発明のアクセスポイント選択装置のディスプレイ表示部の表示画面の一例を示す図である。
【図４】本発明のアクセスポイント選択装置のディスプレイ表示部の表示画面の他の例を示す図である。
【図５】本発明のアクセスポイント選択装置のディスプレイ表示部の表示画面の他の例を示す図である。
【符号の説明】
Ａ      アクセスポイント選択装置
ＡＰ    アクセスポイント
ＩＳＰ  Ｉｎｔｅｒｎｅｔ  Ｓｅｒｖｉｃｅ  Ｐｒｏｖｉｄｅｒ
Ｎ      インターネット
１０    制御部
１１    無線送受信部
１２    情報記憶部
１３    アクセスポイント一覧編成部
１４    リンク速度計測部
１５    実効リンク速度計測部
１６    電界強度計測部
１７    ノイズレベル計測部
１８    アクセスポイント選択部
１９    ディスプレイ表示部
【図１】
2004159258.tif 000003
【図２】
2004159258.tif 000004
【図３】
2004159258.tif 000005
【図４】
2004159258.tif 000006
【図５】
2004159258.tif 000007